(57)【要約】【課題】印刷所要時間が容易に把握できる形態で予約印刷ジョブについて表示する印刷装置を提供する。【解決手段】複合機１は、入力された現在実行中または実行待ちの印刷ジョブである予約印刷ジョブについて表示する予約ジョブ表示を行うもので、印刷ジョブそれぞれのジョブ量を判別するジョブ量判別部１５ｂと、予約ジョブ表示の際、予約印刷ジョブについての表示領域を、ジョブ量に応じて変化させて表示させる表示制御部１５ａを備える。【選択図】図１
2012192536.tif 000002
【特許請求の範囲】
【請求項１】
入力された実行中または実行待ちの予約印刷ジョブの各々のジョブ量を判別するジョブ量判別部と、
前記予約印刷ジョブを表示する操作表示部における表示領域の面積を前記判別したジョブ量に基づいて変化させる表示制御部と、を備え、
ジョブ量に応じて予約印刷ジョブを操作表示部に表示することを特徴とする印刷装置。
【請求項２】
前記ジョブ量判別部は、前記ジョブ量の判別を当該予約印刷ジョブの予想印刷所要時間に基づいて行うことを特徴とする請求項１に記載の印刷装置。
【請求項３】
前記ジョブ量判別部は、前記ジョブ量の判別を当該予約印刷ジョブの総印刷ページ数に基づいて行うことを特徴とする請求項１に記載の印刷装置。
【請求項４】
前記ジョブ量判別部は、前記ジョブ量の判別を当該予約印刷ジョブの使用メモリ量に基づいて行うことを特徴とする請求項１に記載の印刷装置。
【請求項５】
前記表示制御部は、前記ジョブ量に応じて、前記表示領域の幅または高さを変化させて表示させることを特徴とする請求項１〜４のいずれか１項に記載の印刷装置。
【請求項６】
前記表示制御部は、前記現在実行中の予約印刷ジョブについて、実行開始から時間が経過するにしたがって前記表示領域を小さくしていくことを特徴とする請求項１〜５のいずれか１項に記載の印刷装置。
【発明の詳細な説明】
【技術分野】
【０００１】
本発明は、入力された印刷ジョブを予約印刷ジョブとして表示する印刷装置に関する。
【背景技術】
【０００２】
従来、コピー機やプリンタ、複合機等の印刷装置として、入力されたプリントジョブやコピージョブ等の印刷ジョブのうち、現在実行中または実行待ちの印刷ジョブである予約印刷ジョブについてリスト表示するものがある（例えば、特許文献１，２参照）。
特許文献１に開示の印刷装置は、印刷実行キュー内の印刷処理が未完となっている印刷ジョブの一覧を表示する際、該印刷ジョブ毎に印刷完了までの時間を数字で表示する。
特許文献２に開示の印刷装置は、実行待ちの状態の印刷ジョブを表示する際、指定の用紙切れで印刷ができない実行不可能ジョブと、実行可能ジョブとで、異なる表示形態で表示する。
また、近年、印刷装置に大型ディスプレイを接続して、該大型ディスプレイに上述の予約印刷ジョブをリスト表示することが考えられている。
【先行技術文献】
【特許文献】
【０００３】
【特許文献１】特開２００７−２１６４７７号公報
【特許文献２】特開２００２−２２５３８９号公報
【発明の概要】
【発明が解決しようとする課題】
【０００４】
しかし、特許文献１に開示の印刷装置のように、予約印刷ジョブ一覧にジョブ毎の印刷完了までの所要時間を数字で表示しても、数字すなわち文字まで確認できないので、所要時間を知ることができない。特に、遠くから見た場合は、仮にその表示が大型ディスプレイ上で行われたとしても同様である。この点に関し、特許文献２には開示も示唆もされていない。
【０００５】
本発明は、上記問題に鑑み、予約印刷ジョブについて表示するものであって、該ジョブの所要時間が容易に把握できる印刷装置を提供する。
【課題を解決するための手段】
【０００６】
上記課題を解決するために、本発明の第１の技術手段は、入力された実行中または実行待ちの予約印刷ジョブの各々のジョブ量を判別するジョブ量判別部と、前記予約印刷ジョブを表示する操作表示部における表示領域の面積を前記判別したジョブ量に基づいて変化させる表示制御部とを備え、ジョブ量に応じて予約印刷ジョブを操作表示部に表示することを特徴とした印刷装置である。
【０００７】
本発明の第２の技術手段は、第１の技術手段において、前記ジョブ量判別部が、前記ジョブ量の判別を当該予約印刷ジョブの予想印刷所要時間に基づいて行うことを特徴としたものである。
【０００８】
本発明の第３の技術手段は、第１の技術手段において、前記ジョブ量判別部が、前記ジョブ量の判別を当該予約印刷ジョブの総印刷ページ数に基づいて行うことを特徴としたものである。
【０００９】
本発明の第４の技術手段は、第１の技術手段において、前記ジョブ量判別部が、前記ジョブ量の判別を当該予約印刷ジョブの使用メモリ量に基づいて行うことを特徴としたものである。
【００１０】
本発明の第５の技術手段は、第１乃至第４いずれか１の技術手段において、前記表示制御部が、前記ジョブ量に応じて、前記表示領域の幅または高さを変化させて表示させることを特徴としたものである。
【００１１】
本発明の第６の技術手段は、第１乃至第５いずれか１の技術手段において、前記表示制御部が、前記現在実行中の予約印刷ジョブについて、実行開始から時間が経過するにしたがって前記表示領域を小さくしていくことを特徴としたものである。
【発明の効果】
【００１２】
本発明では、予約印刷ジョブの表示領域をジョブ量に応じた大きさとしたので、ユーザが上記表示領域の大小でジョブの所要時間が容易に把握できる。
【図面の簡単な説明】
【００１３】
【図１】本発明の印刷装置の一例である複合機の構成を説明するブロック図である。
【図２】図１の複合機が表示するジョブ状況確認画面の一例である。
【図３】図１の複合機の処理例を説明するフローチャートである。
【発明を実施するための形態】
【００１４】
図１は、本発明の印刷装置の一例である複合機の構成を説明するブロック図である。
図１の印刷装置１は、コピー機能及びプリンタ機能を備える複合機（Multi-Function Peripheral）として構成した例である。以下、印刷装置１をＭＦＰ１として説明する。
ＭＦＰ１は、スキャナ部１０、 印字部１１、時計回路１２、操作表示部１３、ＲＡＭ（Random Access Memory）１４、制御部１５、ＨＤＤ（Hard Disk Drive）１６、インタフェース部１７を備え、ネットワークＮを介してＰＣ（Personal Computer）等の情報処理装置２と、通信可能に接続される。
【００１５】
制御部１５は、ＭＦＰ１全体を制御するもので、演算を行うＣＰＵ（Central Processing Unit）や、演算に伴う一時的な情報を記憶するＲＡＭ等からなる。この制御部１５には、ＭＦＰ１を制御するための制御プログラムを記憶しているＲＯＭ（Read Only Memory）が含まれる。制御部１５の表示制御部１５ａとジョブ量判別部１５ｂについては後述する。
【００１６】
また、制御部１５には、記録用紙に記録された画像（原稿）を読み取って画像データを生成するスキャナ部１０が接続される。このスキャナ部１０には、原稿画像を画像データとして取り込むためのＣＣＤ（Charge Coupled Device（電荷結合素子））と、原稿台や自動原稿送り装置（ＡＤＦ：Automatic Document Feeder）などにセットされた原稿を検知する原稿検知センサ等が設けられる。
【００１７】
さらに、制御部１５には、プリントジョブやコピージョブに従って記録用紙上に画像形成する印字部１１が接続される。この印字部１１は、ＲＡＭ１４に一時的に記憶された画像データから画像を形成して記録用紙に記録する。ＭＦＰ１は、スキャナ部１０で生成した画像データをＲＡＭ１４に一旦記憶させた後、印字部１１で画像を形成することができる。このようにして、ＭＦＰ１は複写装置として機能する。
【００１８】
また、図１において、制御部１５には、ＭＦＰ１が外部との間で情報を送受信するためのインタフェース部１７（以下、 Ｉ／Ｆ部）が接続されている。Ｉ／Ｆ部１７は、社内ＬＡＮ（Local Area Network）等のネットワークＮに接続されており、ネットワークＮには、ＭＦＰ１と連動して動作する１または複数の情報処理装置２が接続され、ＭＦＰ１はネットワークＮを介して情報処理装置２との間で情報を交換する。
【００１９】
ＭＦＰ１と通信可能に接続される情報処理装置２は、例えば、装置全体の制御を行うＣＰＵ、半導体メモリであるＲＡＭ，ＲＯＭ、ＨＤＤ等の記憶装置、入力装置、表示装置、通信装置、出力装置、及びシステムバスなどを有する汎用のパーソナルコン ピュータ（ＰＣ）からなる。
ＭＦＰ１は、上述のようなＰＣ２から送信された画像データをＩ／Ｆ部１７で受信し、受信した画像データから印字部１１で画像を形成することができる。このようにして、ＭＦＰ１はプリンタ装置として機能する。
【００２０】
ＭＦＰ１の説明に戻る。
制御部１５には、日時を計時する時計回路１２が接続されている。制御部１５は、時計回路１２が計時した時間等を参照しながら、ＭＦＰ１の動作を統括的に制御する。
また、制御部１５には、スキャナ部１０により取得された画像データや、操作表示部１３に表示する操作画面のための表示データなどを記憶する、ＨＤＤ１６が接続されている。
さらに、制御部１５には、使用者からの操作を受け付ける操作表示部１３が接続されている。操作表示部１３は、使用者の操作により制御命令などの情報が入力されるタッチパネル又はテンキー等の入力部と、操作画面や操作のために必要な情報を表示する液晶パネル等の表示部とからなっている。
【００２１】
制御部１５は、このように上記各部に接続されており、また、操作表示部１３の表示内容を制御する表示制御部１５ａと後述のジョブ量判別部１５ｂとを有する。
なお、ＭＦＰ１は、操作表示部１３とは別個に大型液晶パネルを備えると共に、表示制御部１５ａの制御により、操作表示部１３に表示する画面と同じ画面を大型液晶パネルに表示可能とするとよい。
【００２２】
上述のＭＦＰ１では、情報処理装置２で生成されＩ／Ｆ部１７を介して入力された画像データの印刷を指示する印刷ジョブすなわちプリントジョブや、スキャナ部１０で読み取られた画像データの印刷を指示する印刷ジョブすなわちコピージョブが入力されると、例えば、ジョブ量判別部１５ｂで該印刷ジョブのジョブ量を判別し、ＲＡＭ１４またはＨＤＤ１６に記憶する。ジョブ量とは、例えば、予想印刷所要時間である。なお、予測印刷所要時間そのものを記憶しておいてもよいし、その大きさの程度、例えば、所定時間より大きいか小さいか等を記憶するようにしてもよい。
【００２３】
そして、ユーザが、現在実行中または実行待ちの印刷ジョブである予約印刷ジョブについて表示するジョブ状況確認画面を表示するための操作表示部１３の入力ボタンを押下すると、表示制御部１５ａがジョブ状況確認画面を操作表示部１３の表示部に表示させる。
【００２４】
図２は、図１の複合機が表示するジョブ状況確認画面の一例である。
図のジョブ状況確認画面Ｐ１では、ＭＦＰ１に指示されている予約印刷ジョブの状況がリスト表示され、ジョブ量の大きい予約印刷ジョブについての表示領域Ｐ１１は、ジョブ量が中程度の予約印刷ジョブについての表示領域Ｐ１２より高さが２倍程度と広くなっており、該表示領域Ｐ１２は、ジョブ量の小さい予約印刷ジョブについての表示領域Ｐ１３，Ｐ１４より高さが２倍程度と広くなっている。
上述のようにＭＦＰ１では、予約印刷ジョブの表示領域をジョブ量に応じた大きさとしたので、ユーザが表示領域の大小で予約印刷ジョブの印刷に要する時間が容易に把握できる。また、このジョブ状況確認画面を大型液晶パネルに表示すると、予約印刷ジョブの印刷に要する時間を遠くからでも把握できる。
【００２５】
なお、表示領域Ｐ１１〜Ｐ１４には、予約印刷ジョブの識別情報Ｐ２１と、セット部数及び終了部数Ｐ２２、コピー中や待機中などの状況Ｐ２３が明示される。
【００２６】
図３は、ジョブ状況確認画面を表示中に新たに印刷ジョブが入力された場合の図１のＭＦＰ１のジョブ状況確認画面表示に係る処理例を説明するフローチャートである。
ＭＦＰ１は、印刷ジョブが入力されると（ステップＳ１）、ジョブ量判別部１５ｂにより該印刷ジョブの予想印刷所要時間を算出しＲＡＭ１４に記憶する（ステップＳ２）。そして、その予想印刷所要時間が１分以内であるか否か判定する（ステップＳ３）。
【００２７】
予測印刷所要時間が１分以内の場合（ＹＥＳの場合）、当該印刷ジョブについて、表示できる最小サイズの表示領域で、ジョブ状況確認画面に表示されるよう、表示制御部１５ａが制御する（ステップＳ４）。
一方、当該印刷ジョブの予測印刷所要時間が１分以内でないと判定された場合（ステップＳ３，ＮＯ場合）、同所要時間が５分以上であるか判定する（ステップＳ５）。
【００２８】
予測印刷所要時間が５分以上の場合（ＹＥＳの場合）、当該印刷ジョブについて、表示できる最大サイズの表示領域、例えば、最小サイズのものの３倍のサイズで、ジョブ状況確認画面に表示されるよう、表示制御部１５ａが制御する（ステップＳ６）。
一方、当該印刷ジョブの予測印刷所要時間が５分以上でない判定された場合（ステップＳ５、ＮＯ）の場合、の場合、当該印刷ジョブについて、表示できる最大サイズと最小サイズの間のサイズの表示領域で、ジョブ状況確認画面に表示されるよう、表示制御部１５ａが制御する。
【００２９】
上述の例では、ジョブ量判別部１５ｂが、予約印刷ジョブのジョブ量の判別を、当該ジョブの予想印刷所要時間に基づいて行っているが、当該ジョブの総印刷ページ数や使用メモリ量に基づいて行うようにしてもよい。このような構成とすることにより、印刷ジョブの予想印刷所要時間を計算できないモデルでも、上述のようなジョブ状況確認画面を表示することができる。
また、上述の例では、表示制御部１５ａが、ジョブ量に応じて、当該予約印刷ジョブの表示領域の高さを変化させていたが、表示領域の幅を変化させるようにしてもよい。
【００３０】
さらに、予約印刷ジョブのジョブ量の判別を、当該ジョブの予想印刷所要時間に基づいて行う際は、時計回路１２を用いて、現在実行中の予約印刷ジョブについて、実行開始から時間が経過するにしたがって表示領域を小さくしていくとよい。例えば、図３のように、予測印刷所要時間が５分以上の予約印刷ジョブについては同所要時間が１分以内のものに比べ３倍の表示領域で表示する場合、ある予測印刷所要時間が５分以上の予約印刷ジョブの処理を開始してから時計回路１２で計時を開始し、残りの予測印刷所要時間が５分未満となったときから徐々に当該ジョブの表示領域を小さくし、残りの予測印刷所要時間が１分以下では、当該ジョブの表示領域を、予測印刷所要時間が１分以内のジョブについての表示領域と同じ大きさとする。
【００３１】
なお、ジョブ状況確認画面における予約印刷ジョブの表示領域の文字の色や背景の色をジョブ量に応じて変化させるようにしてもよい。例えば、ジョブ容量が大のものについては赤色、ジョブ容量が中のものについては黄色、ジョブ容量が小のものについては青色を使うようにするとよい。
【符号の説明】
【００３２】
１…複合機、１０…スキャナ部、１１…印字部、１２…時計回路、１３…操作表示部、１４…ＲＡＭ、１５…制御部、１５ａ…表示制御部、１５ｂ…ジョブ量判別部、１６…ＨＤＤ、１７…インタフェース部。
【図１】
2012192536.tif 000003
【図２】
2012192536.tif 000004
【図３】
2012192536.tif 000005